(57)【特許請求の範囲】
【請求項１】
窓を設ける外装カバーと、その外装カバー内に有し、電子部品を取り付けて前記窓の位置の内部に立てて設ける制御基板と、前記外装カバーに取り付けて前記窓を塞ぎ、前記制御基板から落下した前記電子部品を受け止める位置に難燃性の部品受け止め部材を設ける開閉カバー部材とを備える画像形成装置本体が、
頂壁に孔をあけたケースと、そのケース内に設ける拡張基板とを備えるオプション装置上に載置され、
前記ケースの孔を通して前記制御基板に前記拡張基板を接続するケーブルが備えられている、落下部品受け止め構造。
【請求項２】
前記オプション装置が増設給紙装置である、請求項１に記載の落下部品受け止め構造。
【請求項３】
前記部品受け止め部材を前記開閉カバー部材に樹脂材料を用いて一体成形で形成してなる、請求項１または２に記載の落下部品受け止め構造。
【請求項４】
前記開閉カバー部材が、画像形成装置本体に取り付けるオプション装置の電気接続用である、請求項１、２または３に記載の落下部品受け止め構造。
【請求項５】
前記開閉カバー部材を前記外装カバーに締結部材で開閉自在に取り付けてなる、請求項１、２、３または４に記載の落下部品受け止め構造。
【請求項６】
請求項１、２、３、４または５に記載の落下部品受け止め構造を備えてなる、画像形成装置。
【発明の詳細な説明】
【０００１】
【発明の属する技術分野】
この発明は、複写機やプリンタやファクシミリ、またはそれらの複合機など、用紙・ＯＨＰフィルム等のシートに画像を記録する画像形成装置に関する。および、そのような画像形成装置において、落下する電子部品を受け止める落下部品受け止め構造に関する。
【０００２】
【従来の技術】
画像形成装置では、制御基板を設け、画像形成動作を制御する。また、画像形成装置本体にオプション装置を取り付けるときは、装置本体側の制御基板にオプション装置側の拡張基板をケーブル等を用いて電気接続していた。
【０００３】
【発明が解決しようとする課題】
ところが、画像形成装置では、使用中、何らかの異常で、制御基板上の電子部品が発火することがあり、そのとき電子部品が火の着いた状態で落下すると、使用場所の床上に落ちて、例えばカーペット等に火が着き、火災を発生するおそれがあった。
【０００４】
そこで、この発明の第１の目的は、火の着いた電子部品が床上に落ちることを防止して火災の危険を未然に防ぐことにある。
【０００５】
この発明の第２の目的は、さらに、電子部品を受け止めるべく設ける部品受け止め部材の取り外しを可能とすることにある。
【０００６】
この発明の第３の目的は、さらに、部品受け止め部材を容易かつ安価で、軽量に製作可能とすることにある。
【０００７】
この発明の第４の目的は、さらに、オプション装置の電気接続を容易とすることにある。
【０００８】
この発明の第５の目的は、さらに、感電のおそれをなくしてユーザーの危険を防止することにある。
【０００９】
この発明の第６の目的は、上述の目的を達成した落下部品受け止め構造を備えた画像形成装置を提供することにある。
【００１０】
【課題を解決するための手段】
そのため、請求項１に記載の発明は、上述した第１の目的を達成すべく、画像形成装置の落下部品受け止め構造において、
窓を設ける外装カバーと、その外装カバー内に有し、電子部品を取り付けて前記窓の位置の内部に立てて設ける制御基板と、前記外装カバーに取り付けて前記窓を塞ぎ、前記制御基板から落下した前記電子部品を受け止める位置に難燃性の部品受け止め部材を設ける開閉カバー部材とを備える画像形成装置本体が、
頂壁に孔をあけたケースと、そのケース内に設ける拡張基板とを備えるオプション装置上に載置され、
前記ケースの孔を通して前記制御基板に前記拡張基板を接続するケーブルが備えられている、ことを特徴とする
【００１１】
請求項２に記載の発明は、請求項１に記載の落下部品受け止め構造において、前記オプション装置が増設給紙装置である、ことを特徴とする。
【００１２】
請求項３に記載の発明は、上記第３の目的を達成すべく、請求項１または２に記載の落下部品受け止め構造において、部品受け止め部材を開閉カバー部材に樹脂材料を用いて一体成形で形成してなる、ことを特徴とする。
【００１３】
請求項４に記載の発明は、上記第４の目的を達成すべく、請求項１、２または３に記載の落下部品受け止め構造において、開閉カバー部材が、画像形成装置本体に取り付けるオプション装置の電気接続用である、ことを特徴とする。
【００１４】
請求項５に記載の発明は、上記第５の目的を達成すべく、請求項１、２、３または４に記載の落下部品受け止め構造において、開閉カバー部材を外装カバーに締結部材で開閉自在に取り付けてなる、ことを特徴とする。
【００１５】
請求項６に記載の発明は、上記第６の目的を達成すべく、画像形成装置において、請求項１、２、３、４または５に記載の落下部品受け止め構造を備えてなる、ことを特徴とする。
【００１６】
【発明の実施の形態】
以下、図面を参照しつつ、この発明の実施の形態につき説明する。
図１には、この発明による落下部品受け止め構造を備える電子写真式画像形成装置の外観を示す。
【００１７】
図中符号１００は、画像形成装置本体である。画像形成装置本体１００は、内部に作像装置を設け、全体を外装カバー１０で被う。下部には、給紙カセット１２を２段に備えて各々正面側から出し入れ自在とする。また、上部には、排紙スタック部１３を設け、その上に正面および左側面側を開放する胴内排紙空間を形成する。
【００１８】
画像形成装置本体１００の上には、原稿読取装置２００を取り付ける。原稿読取装置２００は、上面にコンタクトガラスを備え、正面には手前側に突出して操作表示部１４を設ける。原稿読取装置２００の上には、ＡＤＦ（自動原稿給送装置）３００を、背面側を支点として手前側を上下に開閉可能に取り付ける。
【００１９】
そして、そのように原稿読取装置２００およびＡＤＦ３００を取り付けた画像形成装置本体１００全体を、オプション装置である増設給紙装置４００上に載置している。増設給紙装置４００には、給紙カセット１２を２段に備えて各々正面側から出し入れ自在とする。
【００２０】
図２には、図１の画像形成装置における内部機構の全体概略構成を示す。
【００２１】
画像形成装置本体１００内の作像装置２０には、像担持体であるドラム状の感光体２２を設ける。感光体２２のまわりには、帯電装置２３、現像装置２４、転写装置２５、クリーニング装置２６、除電装置２７などを配置する。そして、帯電装置２３、現像装置２４、クリーニング装置２６、除電装置２７などでプロセスカートリッジ２８を構成する。
【００２２】
プロセスカートリッジ２８の図中左側には、トナーボトル３０と書込み装置３１を上下に配する。プロセスカートリッジ２８の図中上方には、定着装置３２を備え、その先に排出ローラ３３を備える。下方には、一対のレジストローラ３４を設ける。
【００２３】
また、画像形成装置本体１００内の給紙カセット１３には、給紙装置３５とともに、縦断してシート通路３６を設ける。シート通路３６には、一対の搬送ローラ３７を備える。
【００２４】
増設給紙装置１８にも、同様に、給紙カセット１３に、給紙装置３５とともに、縦断して給紙通路３６を設け、一対の搬送ローラ３７を備える。
【００２５】
さて、いまこの画像形成装置を用いて例えばコピーをとるときは、ＡＤＦ３００の原稿セット台４０に原稿をセットして操作表示部１４のスタートスイッチ４１（図１参照）を押す。そして、原稿を送り込んで原稿読取装置３００のコンタクトガラス４２上に搬送し、原稿読取装置３００を駆動して原稿上の画像を読み取る。
【００２６】
同時に、給紙装置３５のうちの１つを選択的に図中反時計まわりに回転し、対応する給紙カセット１２からシートを繰り出し、搬送ローラ３７でシート通路３６を通して上方へと搬送して先端をレジストローラ３４に突き当てて止める。
【００２７】
また、感光体２２を反時計まわりに回転駆動し、その感光体２２の回転とともに、帯電装置２３でその表面を一様に帯電する。次いで、原稿読取装置２００からの信号に基づきその読取内容に応じて書込み装置３１でレーザ光Ｌを照射して書込みを行い、感光体１２上に静電潜像を形成する。続いて、現像装置２４でトナーを付着してその静電潜像を現像し、感光体１２上にトナー画像を形成する。
【００２８】
そして、感光体１２の回転にタイミングを合わせてレジストローラ３４を回転し、画像形成装置本体１００内で下方から上方へと搬送してシートをまず転写位置へと導き、感光体１２上に形成したトナー画像を転写装置２５で該シートへと転写する。
【００２９】
画像転写後のシートは、定着装置３２に入れ、定着ローラ４４と加圧ローラ４５とで熱と圧力とを加えて転写画像を定着する。そして、排出ローラ３３で画像形成装置本体１００外に排出して複写済みシートを胴内排紙空間の排紙スタック部１３上にスタックする。
【００３０】
一方、画像転写後の感光体２２は、回転とともに、表面上の残留トナーをクリーニング装置２６で除去する。その後、除電装置２７で除電し、帯電からはじまる再度の画像形成に備える。
【００３１】
ところで、この画像形成装置では、画像形成装置本体１００の外装カバー１０背面に、図３に示すように窓４８を設け、その窓４８を開閉カバー部材５０で塞いでいる。開閉カバー部材５０は、難燃性の高い樹脂材料（例えばＵＶ規格の５Ｖ材など）を用いて一体成形でつくり、若干屈曲する板状の本体部５１に内面から直角に突出して部品受け止め部材５２を形成している。
【００３２】
一方、窓４８位置の内部には、作像装置２０による作像動作を制御するメイン制御基板５５を設ける。メイン制御基板５５には、コネクタ５６や複写動作制御用ＩＣ５７などを取り付ける。
【００３３】
そして、この画像形成装置本体１００を、オプション装置である増設給紙装置４００上に載せたときには、図４に示すように増設給紙装置４００のケース６０の頂壁にあけた孔６１を通してケーブル６２を引き出し、その先端のコネクタ６３をメイン制御基板５５のコネクタ５６に接続する。これにより、メイン制御基板５５に拡張基板６４を電気接続し、増設給紙装置４００に電力供給する。
【００３４】
その後、本体部５１の締結部材挿通孔５８に、樹脂リベット・樹脂ねじ等の締結部材５９を通して外装カバー１０にねじ付け、画像形成装置本体１００に開閉カバー部材５０を取り付ける。すると、難燃性の部品受け止め部材５２が、メイン制御基板５５の下方位置で水平となる。
【００３５】
これにより、使用中、何らかの異常で、メイン制御基板５５上の複写動作制御用ＩＣ５７等の電子部品が発火し、火の着いた状態で落下したとしても、その電子部品を部品受け止め部材５２で受け止めて、火の着いた電子部品が床上に落ちることを防止し、例えばカーペット等に火が着いて火災を発生する危険を未然に防ぐことができる。
【００３６】
また、図示例では、開閉カバー部材５０を外装カバー１０に締結部材５９で開閉自在に取り付けるから、加えて、開閉カバー部材５０を開くときには工具を用いて締結部材５９を外さなければならず、ユーザーが不用意に開閉カバー部材５０を開いて感電する危険を未然に防止することができる。
【００３７】
なお、図３では、工具に代えて、コイン７０を用いて締結部材５９を締めまたは緩める場合を示す。
【００３８】
【発明の効果】
以上説明したとおり、請求項１に係る発明によれば、制御基板の下方位置に、その制御基板から落下する電子部品を受け止める、難燃性の部品受け止め部材を設けるから、何らかの異常で、制御基板上の電子部品が発火し、火の着いた状態で落下したとしても、その電子部品を部品受け止め部材で受け止めて、火の着いた電子部品が床上に落ちることを防止し、例えばカーペット等に火が着いて火災を発生する危険を未然に防ぐことができる。
【００３９】
部品受け止め部材を、画像形成装置の外装カバーに設ける開閉カバー部材に形成するから、加えて、開閉カバー部材を開くことで、部品受け止め部材の取り外しを可能とし、開閉カバー部材内を広く開放することができる。
【００４０】
請求項３に係る発明によれば、部品受け止め部材を開閉カバー部材に樹脂材料を用いて一体成形で形成するから、加えて、使用目的に即した部品受け止め部材を容易かつ安価で、しかも軽量に製作することができる。
【００４１】
請求項４に係る発明によれば、開閉カバー部材が、画像形成装置本体に取り付けるオプション装置の電気接続用であるから、加えて、開閉カバー部材を開くことで、オプション装置の電気接続を容易とすることができる。
【００４２】
請求項５に係る発明によれば、開閉カバー部材を外装カバーに締結部材で開閉自在に取り付けるから、加えて、開閉カバー部材を開くときには工具を用いて締結部材を外さなければならないようにし、ユーザーが不用意に開閉カバー部材を開いて感電する危険を未然に防止することができる。
【００４３】
請求項６に係る発明によれば、上述した効果を有する部品受け止め構造を有する画像形成装置を提供することができる。
【図面の簡単な説明】
【図１】この発明による落下部品受け止め構造を備える電子写真式画像形成装置の外観斜視図である。
【図２】その画像形成装置における内部機構の全体概略構成図である。
【図３】その画像形成装置の背面側の部分斜視図である。
【図４】その部分縦断面図である。
【符号の説明】
１０    外装カバー
４８    窓
５０    開閉カバー部材
５１    本体部
５２    部品受け止め部材
５５    メイン制御基板（制御基板）
５６    コネクタ
５７    複写動作制御用ＩＣ（電子部品）
５９    締結部材
６０    ケース
６１    孔
６２    ケーブル
６３    コネクタ
６４    拡張基板
１００    画像形成装置本体
４００    増設給紙装置（オプション装置）
【図１】
0004175785.tif 000002
【図２】
0004175785.tif 000003
【図３】
0004175785.tif 000004
【図４】
0004175785.tif 000005